(57)【要約】【課題】  簡易な手段により、ヒューマンエラーによる感電事故を未然に防止する。【解決手段】  母線１３に接続された受変電機器を金属閉鎖箱１７に格納した複数の変圧器盤１１を並置した受変電設備であって、受変電機器の点検時に取り外される遮蔽板１８を有し、金属閉鎖箱１７に対して遮蔽板１８を南京錠２０で施錠した変圧器盤１１と、その変圧器盤１１の母線上流側に配置され、変圧器盤１１の受変電機器を断接する操作スイッチ１９および変圧器盤１１の受変電機器が母線１３から切り離された状態で南京錠２０を開錠するキー２５が抜脱可能なキースイッチ２３を有する高圧盤１２とを具備する。【選択図】    図７
2019047594.tif 000002
【特許請求の範囲】
【請求項１】
母線に接続された受変電機器を金属閉鎖箱に格納した複数のスイッチギヤを並置した受変電設備であって、
前記受変電機器の点検時に取り外される遮蔽板を有し、前記金属閉鎖箱に対して前記遮蔽板を南京錠で施錠した第１のスイッチギヤと、前記第１のスイッチギヤの母線上流側に配置され、前記第１のスイッチギヤの受変電機器を断接する操作スイッチ、および前記第１のスイッチギヤの受変電機器が母線から切り離された状態で前記南京錠を開錠するキーが抜脱可能なキースイッチを有する第２のスイッチギヤとを具備したことを特徴とする受変電設備。
【請求項２】
前記母線に対して複数並置された第１のスイッチギヤの各南京錠は、異なるキーで開錠可能であり、前記第２のスイッチギヤは、前記第１のスイッチギヤの南京錠に対応させてキーが異なる複数のキースイッチが設けられている請求項１に記載の受変電設備。
【発明の詳細な説明】
【技術分野】
【０００１】
本発明は、引込み線から配電線へ延びる母線に接続された受変電機器を金属閉鎖箱に格納した複数のスイッチギヤからなる受変電設備に関する。
【背景技術】
【０００２】
例えば、ビルや駅などに設置される受変電設備には、引込み線から配電線へ延びる母線に接続された変流器や変圧器などを金属閉鎖箱に格納したスイッチギヤがある（例えば、特許文献１参照）。
【０００３】
この種のスイッチギヤには、変圧器盤および高圧盤があり、複数の変圧器盤および高圧盤を並置することにより受変電設備を構成するようにしている。
【０００４】
これらスイッチギヤの一種である変圧器盤および高圧盤は、一般的に、変流器や変圧器など（以下、受変電機器と称す）を母線に接続した回路で構成されている。
【０００５】
これら変圧器盤および高圧盤は、充電状態にある受変電機器に作業者が接触することを防止するため、充電状態の受変電機器を閉塞するための遮蔽板が金属閉鎖箱の背面側に設けられている。
【先行技術文献】
【特許文献】
【０００６】
【特許文献１】特開２０１３−５１７８２号公報
【発明の概要】
【発明が解決しようとする課題】
【０００７】
ところで、前述した受変電設備では、変圧器盤の母線上流側に高圧盤が設置され、その高圧盤に設けられた操作スイッチにより遮断器を断接するように構成されている。
【０００８】
この変圧器盤の保守点検時には、高圧盤の操作スイッチにより遮断器を開放する。この遮断器の開放により、変圧器盤の受変電機器を母線から切り離して停電状態とする。
【０００９】
その上で、変圧器盤の金属閉鎖箱の背面にある遮蔽板を取り外すことで、停電状態にある受変電機器に対する保守点検作業を可能にしている。
【００１０】
しかしながら、作業者の不注意により、高圧盤の操作スイッチにより遮断器を開放しない状態のままで、変圧器盤の金属閉鎖箱の背面にある遮蔽板を取り外すことがある。その場合、充電状態にある受変電機器に作業者が接触することで感電事故となる。
【００１１】
このようなヒューマンエラーによる感電事故を未然に防止する有効な手段を講じることが要望されているというのが現状である。
【００１２】
そこで、本発明は、前述の課題に鑑みて提案されたもので、その目的とするところは、簡易な手段により、ヒューマンエラーによる感電事故を未然に防止し得る受変電設備を提供することにある。
【課題を解決するための手段】
【００１３】
本発明に係る受変電設備は、母線に接続された受変電機器を金属閉鎖箱に格納した複数のスイッチギヤを並置した構成を具備する。
【００１４】
前述の目的を達成するための技術的手段として、本発明は、受変電機器の点検時に取り外される遮蔽板を有し、金属閉鎖箱に対して遮蔽板を南京錠で施錠した第１のスイッチギヤと、第１のスイッチギヤの母線上流側に配置され、第１のスイッチギヤの受変電機器を断接する操作スイッチおよび第１のスイッチギヤの受変電機器が母線から切り離された状態で南京錠を開錠するキーが抜脱可能なキースイッチを有する第２のスイッチギヤとを具備したことを特徴とする。
【００１５】
本発明では、第１のスイッチギヤの通常運転時、第１のスイッチギヤの遮蔽板が南京錠により金属閉鎖箱に対して施錠されている。そのため、遮蔽板を金属閉鎖箱から取り外すことができないので、充電状態にある受変電機器に作業者が接触することを確実に防止することができる。
【００１６】
一方、第１のスイッチギヤの保守点検時、遮蔽板を金属閉鎖箱から取り外すためには、南京錠を開錠するためのキーが必要となる。そこで、キースイッチの操作によりそのキースイッチからキーを引き抜く。
【００１７】
このようにして、キースイッチから引き抜かれたキーにより南京錠を開錠する。この南京錠の開錠により遮蔽板を金属閉鎖箱から取り外すことが可能となる。この時、キーを引き抜くためのキースイッチの操作により、第１のスイッチギヤの受変電機器が母線から切り離されているので、受変電機器が停電状態となっている。
【００１８】
これにより、停電状態にある受変電機器に対する保守点検作業が可能となり、ヒューマンエラーによる感電事故を未然に防止することができる。
【００１９】
本発明において、母線に対して複数並置された第１のスイッチギヤの各南京錠は、異なるキーで開錠可能であり、第２のスイッチギヤは、第１のスイッチギヤの南京錠に対応させてキーが異なる複数のキースイッチが設けられた構成が望ましい。
【００２０】
このような構成を採用すれば、キースイッチから引き抜かれたキーに合致する南京錠を持つ第１のスイッチギヤの遮蔽板のみを金属閉鎖箱から取り外すことができる。その結果、保守点検すべき第１のスイッチギヤを間違うことなく選択することができ、感電事故防止の安全対策として有効である。
【発明の効果】
【００２１】
本発明によれば、第２のスイッチギヤに設けられたキースイッチの操作により引き抜かれたキーでもって第１のスイッチギヤの南京錠を開錠することにより、遮蔽板を金属閉鎖箱から取り外すことが可能となる。
【００２２】
この時、キーを引き抜くためのキースイッチの操作により、第１のスイッチギヤの受変電機器が母線から切り離されているので、停電状態にある受変電機器に対する保守点検作業が可能となり、ヒューマンエラーによる感電事故を未然に防止することができる。
【図面の簡単な説明】
【００２３】
【図１】本発明の実施形態における変圧器盤および高圧盤からなる受変電設備で、（Ａ）は概略回路構成を示す模式図、（Ｂ）は外観を示す正面図である。
【図２】（Ａ）は図１の変圧器盤の内部構成を示す断面図、（Ｂ）は（Ａ）のＩ−Ｉ線に沿う断面図である。
【図３】図２（Ｂ）のＸ部を示す部分拡大図である。
【図４】図１の高圧盤の前面操作パネルを示す正面図である。
【図５】高圧盤の操作スイッチおよびキースイッチと変圧器盤の南京錠とを示し、キースイッチを「入」側にした状態の模式図である。
【図６】高圧盤の操作スイッチおよび「入」状態のキースイッチを示すシーケンス図である。
【図７】高圧盤の操作スイッチおよびキースイッチと変圧器盤の南京錠とを示し、キースイッチを「切」側にした状態の模式図である。
【図８】高圧盤の操作スイッチおよび「切」状態のキースイッチを示すシーケンス図である。
【発明を実施するための形態】
【００２４】
本発明に係る受変電設備の実施形態を図面に基づいて以下に詳述する。
【００２５】
以下の実施形態では、ビルや駅などに設置される受変電設備として、変圧器盤および高圧盤からなるスイッチギヤを例示するが、例えば、配電線盤、トランス二次盤および高圧受電盤などの他のスイッチギヤにも適用可能である。
【００２６】
この実施形態における高圧盤１２は、図１（Ａ）（Ｂ）に示すように、引込み線から配電線へ延びる母線１３に接続された遮断器１４を金属閉鎖箱１５に格納した構造を具備する。この高圧盤１２は、遮断器１４の他に変流器や変圧器など（以下、受変電機器と称す）も格納されている。
【００２７】
また、この実施形態における変圧器盤１１は、高圧盤１２の母線下流側に配され、受変電機器１６を金属閉鎖箱１７に格納した構造を具備する。これら複数の変圧器盤１１および高圧盤１２を並置することにより受変電設備を構成している。
【００２８】
この変圧器盤１１は、充電状態にある受変電機器１６に作業者が接触することを防止するため、図２（Ａ）に示すように、受変電機器１６を閉塞するための遮蔽板１８が金属閉鎖箱１７の背面側に設けられている。なお、高圧盤１２についても金属閉鎖箱１５（図４参照）の背面側に遮蔽板が設けられている。
【００２９】
ところで、この受変電設備では、変圧器盤１１の母線上流側に高圧盤１２が設置され、その高圧盤１２に設けられた操作スイッチ１９により遮断器１４を断接するように構成されている。
【００３０】
変圧器盤１１の保守点検時には、高圧盤１２の操作スイッチ１９により遮断器１４を開放する。この遮断器１４の開放により、変圧器盤１１の受変電機器１６を母線１３から切り離して停電状態とする。
【００３１】
その上で、変圧器盤１１の金属閉鎖箱１７の背面にある遮蔽板１８を取り外すことで、停電状態にある受変電機器１６に対して保守点検が可能となっている。
【００３２】
ここで、作業者の不注意により、高圧盤１２の操作スイッチ１９により遮断器１４を開放しない状態のままで、変圧器盤１１の金属閉鎖箱１７の背面側にある遮蔽板１８を取り外すと、充電状態にある受変電機器１６に作業者が接触することで感電事故となる。
【００３３】
そこで、このようなヒューマンエラーによる感電事故を未然に防止する有効な手段として、この実施形態の受変電設備では、以下のような簡易な構造を具備する。
【００３４】
第１のスイッチギヤとしての変圧器盤１１は、図２（Ａ）（Ｂ）に示すように、受変電機器１６の点検時に取り外される遮蔽板１８を金属閉鎖箱１７に対して南京錠２０で施錠した構造を具備する。
【００３５】
つまり、図３の拡大図で示すように、金属閉鎖箱１７に設けられた取り付け金具２１と、遮蔽板１８に設けられた取り付け金具２２とを利用することにより南京錠２０を金属閉鎖箱１７と遮蔽板１８との間に取り付ける。
【００３６】
一方、変圧器盤１１の母線上流側に配置された第２のスイッチギヤである高圧盤１２は、変圧器盤１１の受変電機器１６を遮断器１４により断接する操作スイッチ１９と、変圧器盤１１の受変電機器１６が遮断器１４により母線１３から切り離された状態で南京錠２０を開錠するキー２５が抜脱可能なキースイッチ２３とを有する。操作スイッチ１９およびキースイッチ２３は、高圧盤１２の金属閉鎖箱１５の前面操作パネル２４に配設されている（図４参照）。
【００３７】
キースイッチ２３は、遮断器１４を開放する側、つまり、変圧器盤１１の受変電機器１６を母線１３から切り離す側に切り替えた時にキー２５の引き抜きが可能で、遮断器１４を閉じる側、つまり、変圧器盤１１の受変電機器１６を母線１３に接続する側に切り替えた時にキー２５の引き抜きが不可となる構造を有する。
【００３８】
変圧器盤１１の通常運転時、高圧盤１２のキースイッチ２３は、図５および図６に示すように、「入」側で遮断器１４が閉じた状態にあり、変圧器盤１１の受変電機器１６が母線１３に接続された状態にある。また、操作スイッチ１９も「入」側にある。なお、図６における符号２７は制御電源線である。
【００３９】
この時、変圧器盤１１の遮蔽板１８が南京錠２０により金属閉鎖箱１７に対して施錠されている。そのため、遮蔽板１８を金属閉鎖箱１７から取り外すことができないので、充電状態にある受変電機器１６に作業者が接触することを確実に防止できる。
【００４０】
一方、変圧器盤１１の保守点検時、遮蔽板１８を金属閉鎖箱１７から取り外すためには、南京錠２０を開錠するためのキー２５が必要となる。
【００４１】
そこで、高圧盤１２のキースイッチ２３の操作、つまり、図７および図８に示すように、キースイッチ２３を「切」側に切り替えることにより、そのキースイッチ２３からキー２５を引き抜く。
【００４２】
このキースイッチ２３から引き抜かれたキー２５により、変圧器盤１１の南京錠２０を開錠する。この南京錠２０の開錠により遮蔽板１８を金属閉鎖箱１７から取り外すことが可能となる。
【００４３】
このように、キー２５を引き抜くためのキースイッチ２３の操作、つまり、キースイッチ２３を「切」側に切り替えたことにより、遮断器１４が開放する。これにより、変圧器盤１１の受変電機器１６が母線１３から切り離されているので、受変電機器１６が停電状態となっている。
【００４４】
この保守点検時には、通常、操作スイッチ１９を「切」側にしているが、作業者の不注意により操作スイッチ１９が「入」側になっていても、キースイッチ２３が「切」側になっているので、遮断器１４の開放により受変電機器１６が確実に停電状態である。
【００４５】
その結果、停電状態にある受変電機器１６に作業者が接触する保守点検が可能となり、ヒューマンエラーによる感電事故を未然に防止することができる。
【００４６】
なお、この実施形態では、図１（Ａ）（Ｂ）に示すように、１台の高圧盤１２に２つのキースイッチ２３を設け、２台の高圧盤１２でもって４台の変圧器盤１１の南京錠２０を施錠および開錠する場合を例示しているが、１台の高圧盤１２に設けるキースイッチ２３の個数、変圧器盤１１および高圧盤１２の台数については任意である。
【００４７】
また、この実施形態において、複数（４台）の変圧器盤１１に設けられた各南京錠２０は、異なるキー２５で開錠可能としている。この変圧器盤１１の南京錠２０に対応させてキー２５が異なる複数（４つ）のキースイッチ２３が２台の高圧盤１２に設けられている。図１（Ａ）では、南京錠２０の種別および各南京錠２０に対応したキースイッチ２３をＢ，Ｃ，Ｄ，Ｅで表記している。
【００４８】
このような構成を採用することにより、キースイッチ２３から引き抜かれたキー２５に合致する南京錠２０を持つ変圧器盤１１の遮蔽板１８のみを金属閉鎖箱１７から取り外すことができる。その結果、複数の変圧器盤１１の中から、保守点検すべき変圧器盤１１を間違うことなく選択することができ、感電事故防止の安全対策として有効である。
【００４９】
以上では、変圧器盤１１を保守点検する場合、その変圧器盤１１の金属閉鎖箱１７と遮蔽板１８との間に南京錠２０を設けた場合について説明したが、高圧盤１２を保守点検する場合もある。
【００５０】
その場合、図１（Ａ）に示すように、高圧盤１２の金属閉鎖箱１５の背面側に遮蔽板（図示せず）が設けられていることから、高圧盤１２の金属閉鎖箱１５と遮蔽板との間に南京錠２０を設けるようにすればよい。なお、南京錠２０の取り付け構造は、前述した変圧器盤１１の場合と同様である（図３参照）。
【００５１】
この場合、高圧盤１２の母線上流側に別の高圧盤２６を配置する。この高圧盤２６も、他の高圧盤１２と同様、高圧盤１２の受変電機器（図示せず）を断接する操作スイッチ１９およびその受変電機器が母線１３から切り離された状態で南京錠２０を開錠するキー２５が抜脱可能なキースイッチ２３を有する。
【００５２】
このような構成を採用することにより、高圧盤２６のキースイッチ２３の操作により引き抜かれたキー２５でもって高圧盤１２の南京錠２０を開錠することができる。これにより、遮蔽板を金属閉鎖箱１５から取り外すことが可能となって高圧盤１２の保守点検が可能となる。
【００５３】
この場合も、キー２５を引き抜くためのキースイッチ２３の操作により、高圧盤１２の受変電機器が母線１３から切り離されているので、停電状態にある受変電機器に作業者が接触する保守点検作業が可能となり、ヒューマンエラーによる感電事故を未然に防止することができる。
【００５４】
この実施形態において、複数（２台）の高圧盤１２に設けられた各南京錠２０は、同一のキー２５で開錠可能としている。この高圧盤１２の南京錠２０に対応させたキー２５を持つ単一のキースイッチ２３が高圧盤２６に設けられている。図１（Ａ）では、南京錠２０およびその南京錠２０に対応したキースイッチ２３をＡで表記している。
【００５５】
このような構成を採用することにより、単一のキースイッチ２３から引き抜かれたキー２５により全ての高圧盤１２の遮蔽板を金属閉鎖箱１５から取り外すことができる。その結果、全ての高圧盤１２を一括して保守点検することができ、作業効率の向上が図れる。
【００５６】
なお、以上の実施形態では、キースイッチ２３の操作、つまり、キースイッチ２３を「切」側に切り替えることにより、遮断器１４が連動して開放する場合について説明したが、遮断器１４をキースイッチ２３に連動させる以外の構造であってもよい。
【００５７】
例えば、操作スイッチ１９が「入」側にある時には、キースイッチ２３を「入」側にロックしてキー２５の引き抜きを不可とし、操作スイッチ１９が「切」側にある時には、キースイッチ２３のロック状態を解除して「切」側への切り替えでキー２５の引き抜きを可能としてもよい。
【００５８】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００５９】
１１  第１のスイッチギヤ（変圧器盤）
１２  第２のスイッチギヤ（高圧盤）
１３  母線
１５，１７  金属閉鎖箱
１６  受変電機器
１８  遮蔽板
１９  操作スイッチ
２０  南京錠
２３  キースイッチ
２５  キー
【図１】
2019047594.tif 000003
【図２】
2019047594.tif 000004
【図３】
2019047594.tif 000005
【図４】
2019047594.tif 000006
【図５】
2019047594.tif 000007
【図６】
2019047594.tif 000008
【図７】
2019047594.tif 000009
【図８】
2019047594.tif 000010